(57)【要約】【課題】  悪戯や盗難等により消火機器用格納箱の扉が開けられたときや扉を開けようとしたときに機械的にサインを表示し、扉が開けられたことや扉を開けようとしたことが簡単に確認できるようにする。【解決手段】  前面が開放された箱本体５と、箱本体５の開口周縁部に取り付けられ、箱本体５の開口を開閉する扉８とを備えた消防用設備に用いる格納箱１の取っ手構造であって、前記取っ手構造は、扉８に形成した取り付け穴８ａに取り付けられ、前面が扉８の表面に露出するボックス状の取っ手収納体９と、取っ手収納体９に取っ手収納体９の前面に沿ってスライド自在に設けられ、扉８を開放操作するスライド取っ手１０と、取っ手収納体９に設けられ、スライド取っ手１０の扉８を開放するスライド操作に伴って扉８を開閉したサイン１６ａが表示されるサイン表示手段１２と、を備えている。【選択図】      図６
2018102503.tif 000002
【特許請求の範囲】
【請求項１】
前面が開放された箱本体（５）と、箱本体（５）の開口周縁部に取り付けられ、箱本体（５）の開口を開閉する扉（８）とを備えた消防用設備に用いる格納箱の取っ手構造であって、前記取っ手構造は、扉（８）に形成した取り付け穴（８ａ）に取り付けられ、前面が扉（８）の表面に露出するボックス状の取っ手収納体（９）と、取っ手収納体（９）に取っ手収納体（９）の前面に沿ってスライド自在に設けられ、扉（８）を開放操作するスライド取っ手（１０）と、取っ手収納体（９）に設けられ、スライド取っ手（１０）の扉（８）を開放するスライド操作に伴って扉（８）を開閉したサイン（１６ａ）が表示されるサイン表示手段（１２）と、を備えていることを特徴とする消防用設備に用いる格納箱の取っ手構造。
【請求項２】
前記取っ手収納体（９）は、扉（８）を閉じた状態にロックし得ると共に、スライド取っ手（１０）のスライド操作に伴って扉（８）のロック状態を解除し得るロック機構（１１）を更に備えていることを特徴とする請求項１に記載の消防用設備に用いる格納箱の取っ手構造。
【請求項３】
前記サイン表示手段（１２）は、取っ手収納体（９）の前面に形成され、取っ手収納体（９）の内部空間に連通するサイン表示開口（９ｇ）と、取っ手収納体（９）内にスライド取っ手（１０）と同じ方向へスライド自在に設けられ、サイン表示開口（９ｇ）に合致し得るサイン（１６ａ）を表示したサイン表示体（１６）と、を備えており、前記サイン表示体（１６）は、サイン（１６ａ）がサイン表示開口（９ｇ）に合致しない非表示位置と、スライド取っ手（１０）の扉（８）を開放操作する方向へのスライド操作時にスライド取っ手（１０）に係止されてスライド移動し、サイン（１６ａ）がサイン表示開口（９ｇ）に合致する表示位置とに亘ってスライド自在となっており、また、前記サイン表示体（１６）は、スライド取っ手（１０）の前記と反対方向へのスライド時にスライド取っ手（１０）と非係止状態になってサイン表示体（１６）が前記表示位置に残る構成としたことを特徴する請求項１に記載の消防用設備に用いる格納箱の取っ手構造。
【請求項４】
前記取っ手収納体（９）の扉（８）の裏面側に位置する部分に、表示位置にあるサイン表示体（１６）を扉（８）の裏面側から非表示位置へスライド操作できるサイン操作用開口（９ｎ）を形成したことを特徴とする請求項３に記載の消防用設備に用いる格納箱の取っ手構造。
【請求項５】
前記取っ手収納体（９）の扉（８）の裏面側に位置する部分に、サイン操作用開口（９ｎ）に差し込まれて表示位置にあるサイン表示体（１６）を非表示位置までスライド移動させる解除キー（１３）を着脱自在に設けたことを特徴とする請求項４に記載の消防用設備に用いる格納箱の取っ手構造。
【請求項６】
前記取っ手収納体（９）の扉（８）の裏面側に位置する部分に、解除キー（１３）が抜き差し自在に収納されるキー収納部（９ｑ）を形成したことを特徴とする請求項５に記載の消防用設備に用いる格納箱の取っ手構造。
【請求項７】
前記サイン表示体（１６）のサイン（１６ａ）は、少なくともサイン表示体（１６）の一部分に色表示又は文字表示若しくは図形表示の何れか一つ又は複数を組み合わせたものとしたことを特徴とする請求項３に記載の消火機器用格納箱の取っ手構造。
【発明の詳細な説明】
【技術分野】
【０００１】
本発明は、主として不特定多数の人が来場する公共施設や不特定多数の人が往来する駅等の建物に設置され、表示灯、火災報知機、スピーカー等の警報機器を配設した格納箱や消火活動に使用される消防用ホース、ノズル、消火栓弁、消火器等の消火機器を格納した格納箱の取っ手構造に係り、特に、悪戯や盗難等、正常な目的を持った者以外により格納箱の扉が開けられたときや扉を開けようとしたときに機械的にサインを表示し、扉が開けられたことや扉を開けようとしたことが簡単に確認できるようにした消防用設備に用いる格納箱の取っ手構造に関するものである。
【背景技術】
【０００２】
従来から不特定多数の人が来場する病院や図書館、市民会館、コンサートホール等の公共施設、或いは、不特定多数が往来する駅や空港等の建物には、火災の発生時に消火活動に使用される消防用ホースやノズル、消火栓弁、消火器等の消火機器を格納すると共に、表示灯や火災報知機等の警報機器を配設した消防用設備の格納箱（例えば、屋内消火栓の格納箱）が施錠されていない状態で設置されている。
【０００３】
公共施設や駅等の建物に設置される消防用設備の格納箱１００においては、火災時に使用するために施錠することができず、図１８に示す如く、悪戯等の防止のために封印シール１０３を開閉式の扉１０１と箱本体１０２に跨った状態で貼り、当該封印シール１０３が剥がされている場合や破れている場合には、何者かが扉を開閉したサインとして対応していた。
【０００４】
特に、近年では、テロ行為を目的として消防用設備の格納箱１００の内部に危険物を隠し入れる危険性があり、その対策として消防用設備の格納箱１００の随所に封印シール１０３を貼って対応している。
【０００５】
しかし、封印シール１０３では、封印シール１０３を剥がした後、再度貼り付けることができるため、封印シール１０３を破ることなく、扉を開閉することが可能となり、悪戯等がされたことを見落としてしまうと言う問題があった。
【０００６】
これを防ぐために、封印シール１０３の接着性を向上させれば、消防用設備の格納箱１００の点検時に極めて剥がし難くなり、封印シール１０３の糊が扉１０１や箱本体１０２に残って美観を損ねると言う問題があった。
【０００７】
一方、悪戯や盗難等に対応できるように、消防用設備の格納箱の扉が開いたことや格納箱内の消火機器が取り出されたことを監視する消火器等格納箱の監視システムが開発されている（例えば、特許文献１参照）。
【０００８】
しかし、消防用設備の格納箱に前記監視システムを採用した場合、構造が極めて複雑化してコスト高になると言う問題があった。
【先行技術文献】
【特許文献】
【０００９】
【特許文献１】特開平０９−２８５５５９号公報
【発明の概要】
【発明が解決しようとする課題】
【００１０】
本発明は、このような問題点に鑑みて為されたものであり、その目的は、悪戯や盗難等により消防用設備の格納箱の扉が開けられたときや扉を開けようとしたときに機械的にサインを表示することで、扉が開けられたことや扉を開けようとしたことが容易に確認できるようにした消防用設備に用いる格納箱の取っ手構造を提供することにある。
【課題を解決するための手段】
【００１１】
上記目的を達成するために、本発明に係る消防用設備に用いる格納箱の取っ手構造は、前面が開放された箱本体と、箱本体の開口周縁部に取り付けられ、箱本体の開口を開閉する扉とを備えた消防用設備に用いる格納箱の取っ手構造であって、前記取っ手構造は、扉に形成した取り付け穴に取り付けられ、前面が扉の表面に露出するボックス状の取っ手収納体と、取っ手収納体に取っ手収納体の前面に沿ってスライド自在に設けられ、扉を開放操作するスライド取っ手と、取っ手収納体に設けられ、スライド取っ手の扉を開放するスライド操作に伴って扉を開閉したサインが表示されるサイン表示手段と、を備えていることに特徴がある。
【００１２】
前記取っ手収納体は、扉を閉じた状態にロックし得ると共に、スライド取っ手のスライド操作に伴って扉のロック状態を解除し得るロック機構を更に備えていることが好ましい。
【００１３】
前記サイン表示手段は、取っ手収納体の前面に形成され、取っ手収納体の内部空間に連通するサイン表示開口と、取っ手収納体内にスライド取っ手と同じ方向へスライド自在に設けられ、サイン表示開口に合致し得るサインを表示したサイン表示体と、を備えており、前記サイン表示体は、サインがサイン表示開口に合致しない非表示位置と、スライド取っ手の扉を開放操作する方向へのスライド操作時にスライド取っ手に係止されてスライド移動し、サインがサイン表示開口に合致する表示位置とに亘ってスライド自在となっており、また、前記サイン表示体は、スライド取っ手の前記と反対方向へのスライド時にスライド取っ手と非係止状態になってサイン表示体が前記表示位置に残る構成とすることが好ましい。
【００１４】
前記取っ手収納体の扉の裏面側に位置する部分に、表示位置にあるサイン表示体を扉の裏面側から非表示位置へスライド操作できるサイン操作用開口を形成することが好ましい。
【００１５】
前記取っ手収納体の扉の裏面側に位置する部分に、サイン操作用開口に差し込まれて表示位置にあるサイン表示体を非表示位置までスライド移動させる解除キーを着脱自在に設けることが好ましい。
【００１６】
前記取っ手収納体の扉の裏面側に位置する部分に、解除キーが抜き差し自在に収納されるキー収納部を形成することが好ましい。
【００１７】
前記サイン表示体のサインは、少なくともサイン表示体の一部分に色表示又は文字表示若しくは図形表示の何れか一つ又は複数を組み合わせたものとすることが好ましい。
【発明の効果】
【００１８】
本発明に係る消防用機器に用いる格納箱の取っ手構造は、格納箱の扉を開放するスライド取っ手のスライド操作に伴って扉を開閉したサインが表示されるサイン表示手段を備えているため、点検時や見回り時等にサインが表示されていれば、何者かが扉を開閉したり、或いは、扉を開けようとしたことが判別でき、悪戯や危険物の隠し置きが行われた可能性を察知できるため、悪戯等を見落とすと言うことがなく、悪戯や危険物の早期発見を容易に行える。
【００１９】
本発明に係る消防用機器に用いる格納箱の取っ手構造は、サイン表示手段が、スライド取っ手のスライド操作に伴ってサインを表示したサインパネルが機械的にスライド移動してサインを表示する構成としているため、電源を必要とせず、コスト低減を図れる。
【００２０】
本発明に係る消防用機器に用いる格納箱の取っ手構造は、サイン表示体が、スライド取っ手の扉を開放操作する方向へのスライド操作時にスライド取っ手に係止されて非表示位置から表示位置へスライド移動し、また、スライド取っ手の前記と反対方向へのスライド時にサイン表示体が表示位置に残る構成としているため、スライド取っ手のスライド操作や扉の開閉操作を行っても、一旦現れたサイン表示体のサインは常時表示されたままとなるので、扉が開けられたことや扉を開けようとしたことを確実に表示することができる。
【００２１】
本発明に係る消防用機器に用いる格納箱の取っ手構造は、取っ手収納体の扉の裏面側に位置する部分に、表示位置にあるサイン表示体を扉の裏面側から非表示位置へスライド操作するサイン操作用開口を形成しているため、消防用設備の格納箱を正面側から見ただけではサインの表示の解除方法が判らず、サインの表示を解除するには、扉の裏面側から操作しなければならないので、解除方法を知る者しか容易に解除することができない。
【００２２】
本発明に係る消防用機器に用いる格納箱の取っ手構造は、取っ手収納体の扉の裏面側に位置する部分に、サイン表示体をスライド移動させる解除キーが抜き差し自在に収納されるキー収納部を形成し、当該キー収納部に解除キーを収納しているため、作業員が格納箱を点検する際に解除キーを所持しておく必要もなく、また、解除キーがキー収納部に収納されているので目立ち難く、格納箱の扉が悪戯や盗難等、正常な目的を持った者以外により開けられても、解除キーに気が付き難くなる。
【図面の簡単な説明】
【００２３】
【図１】本発明の一実施形態に係る消防用設備に用いる格納箱の取っ手構造を採用した屋内設置型の消火栓の一例を示し、取っ手構造を表示灯や火災報知機等の警報機器用扉（以下、火報扉と言う）に設けた状態の正面図である。
【図２】格納箱の取っ手部分の拡大正面図である。
【図３】格納箱の取っ手部分の拡大平面図である。
【図４】格納箱の取っ手部分の拡大側面図である。
【図５】格納箱の取っ手部分を示し、サイン表示体が非表示位置（隠れた状態）にある拡大横断面図である。
【図６】格納箱の取っ手部分を示し、サイン表示体のサインが表示位置（表れた状態）にある拡大横断面図である。
【図７】格納箱の取っ手構造に用いる取っ手収納体、スライド取っ手、サイン表示体、スライダーを示し、（Ａ）は取っ手収納体内にスライド取っ手を収納した状態の断面図、（Ｂ）は取っ手収納体内にサイン表示体を収納した状態の断面図、（Ｃ）は取っ手収納体内にスライダーを収納した状態の断面図である。
【図８】取っ手収納体の本体を示し、（Ａ）は本体の左側面図、（Ｂ）は本体の正面図、（Ｃ）は本体の右側面図、（Ｄ）は本体の底面図、（Ｅ）は（Ｂ）に示す本体のａ−ａ線断面図である。
【図９】取っ手収納体のカバー体を示し、（Ａ）はカバーの左側面図、（Ｂ）はカバーの正面図、（Ｃ）はカバーの右側面図、（Ｄ）はカバーの底面図、（Ｅ）は（Ｂ）に示すカバー体のａ−ａ線断面図である。
【図１０】スライド取っ手を示し、（Ａ）はスライド取っ手の左側面図、（Ｂ）はスライド取っ手の正面図、（Ｃ）はスライド取っ手の右側面図、（Ｄ）はスライド取っ手の底面図、（Ｅ）は（Ｂ）に示すスライド取っ手のａ−ａ線断面図、（Ｆ）は（Ｂ）に示すスライド取っ手のｂ−ｂ線断面図、（Ｇ）は（Ｄ）に示すスライド取っ手のｃ−ｃ線断面図、（Ｈ）は（Ｄ）に示すスライド取っ手のｄ−ｄ線断面図である。
【図１１】スライダーを示し、（Ａ）はスライダーの左側面図、（Ｂ）はスライダーの正面図、（Ｃ）はスライダーの右側面図、（Ｄ）はスライダーの底面図、（Ｅ）は（Ｂ）に示すスライダーのａ−ａ線断面図、（Ｆ）は（Ｄ）に示すスライダーのｂ−ｂ線断面図、（Ｇ）は（Ｄ）に示すスライダーのｃ−ｃ線断面図である。
【図１２】サイン表示体を示し、（Ａ）はサイン表示体の左側面図、（Ｂ）はサイン表示体の正面図、（Ｃ）はサイン表示体の右側面図、（Ｄ）はサイン表示体の背面図、（Ｅ）はサイン表示体の底面図、（Ｆ）は（Ｂ）に示すサイン表示体のａ−ａ線断面図である。
【図１３】格納箱の取っ手部分を示し、（Ａ）はサイン表示体が非表示位置にあって扉が閉まっている状態の取っ手部分の正面図、（Ｂ）は同じく取っ手部分の横断面図である。
【図１４】格納箱の取っ手部分を示し、（Ａ）はスライド取っ手をスライドさせて扉を少し開けた状態の取っ手部分の正面図、（Ｂ）は同じく取っ手部分の横断面図である。
【図１５】格納箱の取っ手部分を示し、（Ａ）はスライド取っ手から手を離し、扉を閉じた状態の取っ手部分の正面図、（Ｂ）は同じく取っ手部分の横断面図である。
【図１６】格納箱の取っ手部分を示し、（Ａ）は解除キーを用いてサイン表示体を非表示位置に戻した状態の取っ手部分の正面図、（Ｂ）は同じく取っ手部分の横断面図である。
【図１７】屋内設置型の消火栓の火報扉と主扉の両方に取っ手構造を設けた状態の正面図である。
【図１８】封印シールを貼った従来の消防用設備の格納箱の正面図である。
【発明を実施するための形態】
【００２４】
以下、本発明の実施形態を図面に基づいて詳細に説明する。
図１は本発明の一実施形態に係る消防用設備に用いる格納箱１の取っ手構造を採用した屋内設置型の消火栓（例えば、易操作性１号消火栓）の一例を示すものであり、当該消火栓は、不特定多数の人が来場する病院や図書館等の公共施設、或いは、不特定多数が往来する駅や空港等の建物の壁面等に設置されており、格納箱１と、格納箱１内に格納された消防用ホースやノズル、消火栓弁等の消火機器（図示省略）と、格納箱１の前面に設けられた表示灯２、火災報知機３及びベル孔４とを備えている。
【００２５】
即ち、前記格納箱１は、図１に示す如く、内部空間を消火機器用収納部及び警報機器用収納部に区分けした前面が開口された箱本体５と、箱本体５の消火機器用収納部の開口周縁部に扉用回転軸６を介して手前方向へ回動自在に取り付けられ、消火機器用収納部の開口を開閉する主扉７と、箱本体５の警報機器用収納部の開口周縁部に扉用回転軸６を介して手前方向へ回動自在に取り付けられ、警報機器用収納部の開口を開閉する火報扉８と、を備えており、前記火報扉８には、表示灯２、火災報知器３及びベル孔４が設けられている。
【００２６】
また、箱本体５の開口周縁部は、強度を高めるために背面側へ折り曲げられていると共に、主扉７の外周縁部及び火報扉８の外周縁部も、強度を高めるためにそれぞれ背面側へ折り曲げられている。
【００２７】
そして、前記格納箱１には、悪戯や盗難等により格納箱１の扉（主扉７や火報扉８）が開けられたとき、或いは、格納箱１の扉（主扉７や火報扉８）を開けようとしたときに機械的にサイン１６ａを表示し、扉（主扉７や火報扉８）が開けられたこと、扉（主扉７や火報扉８）を開けようとしたことが簡単に確認できるようにした取っ手構造が設けられている。
【００２８】
この実施形態（図１に示す格納箱１）においては、格納箱１の火報扉８に前記取っ手構造が設けられており、主扉７の方には、前記取っ手構造が設けられていない。尚、主扉７は、図示していないが、箱本体５の開口周縁部に設けた従来公知の三角戸バネ（三角キャッチ）により閉じた状態に保持されている。
【００２９】
前記格納箱１の取っ手構造は、図１〜図７に示す如く、火報扉８に取り付けられ、前面が火報扉８の表面に露出するボックス状の取っ手収納体９と、取っ手収納体９に火報扉８の前面に沿って格納箱１の幅方向（図１の左右方向）へスライド自在に設けられ、火報扉８を開放操作するスライド取っ手１０と、取っ手収納体９に設けられ、火報扉８を閉じた状態にロックし得ると共に、スライド取っ手１０のスライド操作に伴って火報扉８のロック状態を解除し得るロック機構１１と、取っ手収納体９に設けられ、スライド取っ手１０の火報扉８を開放するスライド操作に伴って火報扉８を開閉したサイン１６ａが表示されるサイン表示手段１２と、取っ手収納体９に設けられ、サイン表示手段１２を非表示状態にする解除キー１３と、を備えている。
【００３０】
具体的には、前記取っ手収納体９は、図３〜図６に示す如く、前壁９ａ、上壁９ｂ、底壁９ｃ、背壁９ｄ及び側壁９ｅ（右側壁）により一端部（左側端部）が開放されたボックス状に形成された合成樹脂製のボックス状の本体９′と、本体９′の一端部に取り付けられ、本体９′の開口部を閉塞する合成樹脂製のカバー体９″とを備えており、火報扉８の左側縁部に形成した矩形状の取り付け穴８ａに火報扉８の前面側から嵌め込み固定され、取っ手収納体９の前面が火報扉８の表面に露出した状態となっている。
【００３１】
前記本体９′の前壁９ａは、図５、図６及び図８に示す如く、前壁９ａに貫通状に形成されてスライド取っ手１０を操作するための矩形状の取っ手操作用開口９ｆと、前壁９ａに貫通状に形成されて後述するサイン表示手段１２を構成するサイン表示体１６のサイン１６ａに合致し得る矩形状のサイン表示開口９ｇと、を備えている。この本体９′の前壁９ａは、その外周縁部が上壁９ｂ、底壁９ｃ及び側壁９ｅよりも外方へ突出しており、火報扉８の取り付け穴８ａの内周縁部前面に当接するようになっている。尚、取っ手操作用開口９ｆは、作業員の指が入る大きさに形成され、サイン表示開口９ｇは、サイン表示開口９ｇからサイン表示体１６を簡単にスライド操作できない程度の大きさに設定されている。
【００３２】
また、本体９′の上壁９ｂ及び底壁９ｃは、図７及び図８に示す如く、上壁９ｂ及び底壁９ｃの一端部に形成されて火報扉８の取り付け穴８ａの内周縁部の一部を受け入れる係合凹部９ｈと、上壁９ｂ及び底壁９ｃに形成されて後述するカバー体９″に形成した第１係止片９ｔが挿入係止される第１係止孔９ｉと、上壁９ｂ及び底壁９ｃの対向する内壁面に対向状に形成されてスライド取っ手１０をスライド自在に支持するスライド取っ手用ガイドレール９ｊと、上壁９ｂ及び底壁９ｃの対向する内壁面に対向状に形成されてサイン表示体１６をスライド自在に支持するサイン表示体用ガイド溝９ｋと、上壁９ｂ及び底壁９ｃの対向する内壁面に対向状に形成されて後述するロック機構１１のスライダー１４をスライド自在に支持するスライダー用ガイドレール９ｌと、を備えている。前記スライド取っ手用ガイドレール９ｊ、サイン表示体用ガイド溝９ｋ及びスライダー用ガイドレール９ｌは、何れも本体９′の上壁９ｂ及び底壁９ｃの対向する内壁面に水平姿勢で且つ本体９′の前壁９ａの表面に沿って形成されている。その結果、スライド取っ手１０、サイン表示体１６及びスライダー１４は、全て同じ方向へスライドすることになる。
【００３３】
更に、本体９′の側壁９ｅは、図５、図６及び図８に示す如く、側壁９ｅ外面に突出形成されて前壁９ａ外周縁部との間で火報扉８の内周縁部の一部を挟んだ状態で保持する弾性変形可能な一対の係合突出片９ｍと、側壁９ｅに貫通状に形成されてサイン表示体１６をスライド移動させるための解除キー１３が差し込まれるスリット形状のサイン操作用開口９ｎと、側壁９ｅの内壁面に突出形成されて後述するロック機構１１のスライダー１４を常時火報扉８の外周縁側へ向って押し出す弾性体１５（例えば、圧縮コイルスプリング）を支持する支持片９ｏと、を備えている。
【００３４】
加えて、本体９′の背壁９ｄは、図５、図６及び図８に示す如く、背壁９ｄに形成されて後述するカバー体９″に形成した第２係止片９ｖが挿入係止される第２係止孔９ｐと、背壁９ｄに形成されて解除キー１３が抜き差し自在に収納されるスリット形状のキー収納部９ｑと、を備えている。
【００３５】
一方、前記カバー体９″は、図５、図６及び図９に示す如く、本体９′の前壁９ａとの間で火報扉８の取り付け穴８ａの内周縁部の一部を受け入れる係合凹部９ｈを形成するカバー壁９ｒと、カバー壁９ｒの上端部及び下端部に垂直に連設されて本体９′の上壁９ｂ及び底壁９ｃの内壁面に沿う一対の第１アーム板９ｓと、各第１アーム板９ｓに形成されて本体９′の第１係止孔９ｉに挿入係止される第１係止片９ｔと、カバー壁９ｒの後端部に垂直に連設されて本体９′の背壁９ｄの内壁面に沿う第２アーム板９ｕと、第２アーム板９ｕに形成されて本体９′の第２係止孔９ｐに挿入係止される第２係止片９ｖと、カバー壁９ｒの外壁面に外方を向く姿勢で連設されたボス部９ｗと、カバー壁９ｒ及びボス部９ｗに形成されて後述するロック機構１１のスライダー１４がスライド自在に挿入される横向きのスライダー用支持穴９ｘと、を備えている。
【００３６】
そして、前記取っ手収納体９は、本体９′の開口側一端部からカバー体９″の第１アーム板９ｓ及び第２アーム板９ｕを本体９′内に挿入し、第１アーム板９ｓの第１係止片９ｔを本体９′の第１係止孔９ｉに、また、第２アーム板９ｕの第２係止片９ｖを本体９′の第２係止孔９ｐにそれぞれ挿入係止することにより組み立てられており、取っ手収納体９を火報扉８の取り付け穴８ａに前面側から挿入して本体９′の前壁９ａ外周縁部を取り付け穴８ａの内周縁部表面に当接させ、取り付け穴８ａの内周縁部の一部を係合凹部９ｈに係合させると共に、係合突出片９ｍを取り付け穴８ａの内周縁部の一部に係合させることによって、火報扉８の取り付け穴８ａに嵌め込み固定されている。このとき、取っ手収納体９は、カバー体９″が火報扉８の左側外周縁部に対向するように火報扉８に取り付けられている。
【００３７】
前記スライド取っ手１０は、図７及び図１０に示す如く、合成樹脂材により横断面形状が略Ｌ字状の長尺板状に形成されており、スライド取っ手１０の上端部及び下端部が本体９′のスライド取っ手用ガイドレール９ｊにスライド自在に支持されている。このスライド取っ手１０の上端面及び下端面には、本体９′のスライド取っ手用ガイドレール９ｊにスライド自在に嵌合係止される平行な一対の取っ手ガイド用突状１０ａがそれぞれ形成されている。
【００３８】
また、スライド取っ手１０の背面には、図５及び図６に示す如く、ロック機構１１のスライダー１４に係止されるスライダー用係止片１０ｂが突出形成されている。
【００３９】
前記ロック機構１１は、図５、図６、図７及び図１１に示す如く、図に示す如く、本体９′のスライダー用ガイドレール９ｌにスライド自在に支持され、先端部が箱本体５の開口周縁部に形成した係止穴５ａに抜き差し自在に挿入される合成樹脂製のスライダー１４と、スライダー１４と本体９′の支持片９ｏとのに介設され、スライダー１４の先端部をカバー体９″のボス部９ｗから突出する方向へ付勢してスライダー１４の先端部を箱本体５の開口周縁部に形成した係止穴５ａに挿入保持する弾性体１５（例えば、圧縮コイルスプリング）と、を備えている。
【００４０】
また、スライダー１４は、スライダー１４の先端部背面に形成されたカム面１４ａと、スライダー１４の上端面及び下端面に形成されて本体９′のスライダー用ガイドレール９ｌにスライド自在に嵌合係止される平行な一対のスライダーガイド用突状１４ｂと、スライダー１４の本体９′の支持片９ｏに対向する箇所に形成されて弾性体１５の一端部が挿入支持される弾性体用収納部１４ｃと、スライダー１４の基端部に形成されてスライド取っ手１０のスライダー用係止片１０ｂに係止される係止部１４ｄと、スライダー１４の背面部分に形成されてカバー体９″のスライダー用支持穴９ｘの内周縁部に当接し、スライダー１４のカバー体９″からの突出量を規制するストッパー部１４ｅと、を備えている。
【００４１】
更に、スライダー１４は、スライダー１４が弾性体１５の弾性力により前進して取っ手収納体９のカバー体９″から外方へ最も突出し、スライダー１４の先端部が火報扉８の外周縁部に形成した貫通穴８ｂを通過して箱本体５の開口周縁部に形成した係止穴５ａに挿入係止されて火報扉８をロック状態にするロック位置（図５及び図６参照）と、スライダー１４が弾性体１５の弾性力に抗して最も後退し、スライダー１４の先端部が箱本体５の係止穴５ａから抜けて火報扉８のロック状態を解除する非ロック位置（図１４参照）とに亘ってスライド移動自在となっている。尚、火報扉８の貫通穴８ｂと箱本体５の係止穴５ａとは、対向状に形成されている。
【００４２】
而して、前記ロック機構１１によれば、取っ手収納体９の取っ手操作用開口９ｆからスライド取っ手１０をカバー体９″の反対側方向へスライド操作すると、スライダー１４が弾性体１５の弾性力に抗して後退し、スライダー１４の先端部が箱本体５の係止穴５ａから抜け、火報扉８のロック状態が解除されて火報扉８を開放することができる。
【００４３】
一方、火報扉８を閉じた状態でスライド取っ手１０から手を離すと、スライダー１４及びスライド取っ手１０が弾性体１５の弾性力により前進し、スライダー１４の先端部が取っ手収納体９のカバー体９″から外方へ大きく突出すると共に、スライダー１４の先端部が火報扉８の貫通穴８ｂを通過して箱本体５の開口周縁部に形成した係止穴５ａに挿入され、火報扉８がロック状態となる。
【００４４】
前記サイン表示手段１２は、図５及び図６に示す如く、取っ手収納体９の本体９′の前壁９ａに形成したサイン表示開口９ｇと、本体９′のサイン表示体用ガイド溝９ｋにスライド自在に支持され、サイン表示開口９ｇに合致し得るサイン１６ａを表示した合成樹脂製のサイン表示体１６とを備えている。
【００４５】
また、サイン表示体１６は、図７及び図１２に示す如く、上端部及び下端部が本体９′のサイン表示体用ガイド溝９ｋにスライド自在に挿入支持され、表面に色表示によるサイン１６ａが表示されているプレート状の表示パネル１６ｂと、表示パネル１６ｂの背面に連設されてスライド取っ手１０に当接し得る当接片１６ｃと、を備えている。
【００４６】
尚、サイン表示体１６のサイン１６ａは、表示パネル１６ｂの表面全体又は表面の一部を赤色に着色することにより形成されている。
【００４７】
また、表示パネル１６ｂの大きさ及び表示パネル１６ｂにおけるサイン１６ａの形成位置は、スライド取っ手１０がカバー体９″側へ最も近づいているときには、表示パネル１６ｂが取っ手収納体９の前壁９ａの背面に完全に隠れて表示パネル１６ｂのサイン１６ａがサイン表示開口９ｇから完全に外れた位置（非表示位置）にあって非表示となり、また、スライド取っ手１０がカバー体９″から最も離れた位置にスライド操作されたときには、表示パネル１６ｂのサイン１６ａがサイン表示開口９ｇに合致する位置（表示位置）になるようにそれぞれ設定されている。
【００４８】
而して、前記サイン表示手段１２によれば、ロック機構１１がロック位置にある状態でスライド取っ手１０を前記ロック機構１１のロックを解除する方向（サイン表示体１６の方向）へスライド移動させると、サイン表示体１６がスライド取っ手１０に係止された状態で押されてサイン表示体１６のサイン１６ａがサイン表示開口９ｇに合致する位置（表示位置）へ移動し、また、スライド取っ手１０を前記反対方向（カバー体９″の方向）へスライド移動させると、スライド取っ手１０とサイン表示体１６が非係止状態になってスライド取っ手１０のみが移動し、サイン表示体１６が前記位置（表示位置）に残るように構成されている。
【００４９】
前記解除キー１３は、図６に示す如く、本体９′のサイン操作用開口９ｎに挿入されてサイン１６ａがサイン表示開口９ｇに合致しているサイン表示体１６（表示位置にあるサイン表示体１６）をサイン表示開口９ｇに合致しない位置（非表示位置）までスライド移動させるものであり、本体９′のサイン操作用開口９ｎに抜き差し自在に挿入されるプレート部１３ａと、プレート部１３ａに連設された摘み部１３ｂと、を備えている。この解除キー１３は、合成樹脂材により形成されている。
【００５０】
また、解除キー１３は、非使用時には、そのプレート部１３ａが本体９′のキー収納部９ｑに抜き差し自在に挿入されている。このとき、解除キー１３の摘み部１３ｂは、本体９′表面から露出した状態になっており、解除キー１３の引き抜きを行い易くしている。
【００５１】
而して、上述した構成の消防用設備に用いる格納箱１の取っ手構造においては、スライド取っ手１０をスライド操作していない状態では、サイン表示体１６のサイン１６ａがサイン表示開口９ｇと合致せず、サイン表示体１６のサイン１６ａが本体９′の前壁９ａに隠れた状態（非表示位置）となっている（図１３参照）。
【００５２】
この状態で、何者かが悪戯や盗難等の目的でスライド取っ手１０に指を引っ掛け、スライド取っ手１０をスライド移動させてロック機構１１を解除し、火報扉８を開けようとすると、サイン表示開口９ｇにサイン表示体１６のサイン１６ａが表示されることになる。
【００５３】
即ち、スライド取っ手１０をロック機構１１のロックが解除される位置までスライド移動させると、スライド取っ手１０がサイン表示体１６を押し、これによりサイン表示体１６が所定の位置（サイン表示体１６のサイン１６ａがサイン表示開口９ｇに合致する位置）までスライド移動すると共に、スライダー１４が弾性体１５の弾性力に抗して後退し、スライダー１４の先端部が箱本体５の係止穴５ａから抜け、火報扉８のロック状態が解除されて火報扉８を開放することができる。このとき、サイン表示体１６が所定の位置までスライド移動するため、サイン表示開口９ｇには、サイン表示体１６のサイン１６ａが表示されることになる（図１４参照）。
【００５４】
また、スライド取っ手１０から指を離すと、スライダー１４及びスライダー１４に係止されたスライド取っ手１０が弾性体１５の弾性力によりスライド移動し、スライダー１４の先端部がカバー体９″から突出すると共に、スライド取っ手１０が元の位置に戻る。このとき、サイン表示体１６は、スライド移動することがなく、サイン１６ａがサイン表示開口９ｇに合致した状態（表示位置）に保たれる。その結果、サイン表示体１６のサイン１６ａは、常時表示されたままとなる。
【００５５】
この状態で火報扉８を閉じて行くと、スライダー１４のカム面１４ａが箱本体５の開口周縁部に当接して押圧され、これに伴ってスライダー１４が弾性体１５の弾性力に抗して後退し、スライダー１４の先端部が箱本体５の係止穴５ａに合致した時点でスライダー１４が弾性体１５の弾性力により前進し、スライダー１４の先端部が箱本体５の係止穴５ａに挿入係止される。これにより、火報扉８は、閉じた状態で保持されることになる（図１５参照）。
【００５６】
尚、スライド取っ手１０をスライド操作してスライダー１４が後退した状態で火報扉８を閉じて行き、火報扉８が完全に閉じた時点でスライド取っ手１０から手を離すようにしても良い。そうすると、スライダー１４が弾性体１５の弾性力により前進し、スライダー１４の先端部が箱本体５の係止穴５ａに挿入係止され、火報扉８がロック状態に保持されることになる。
【００５７】
そして、点検者は、取っ手部分のサイン表示開口９ｇにサイン１６ａが表示されている格納箱１を見つけたら、格納箱１の内部を点検し、悪戯や盗難等が行われていないかを点検した後、火報扉８の裏面側から本体９′のサイン操作用開口９ｎに解除キー１３を差し込み、サイン表示体１６を元の位置（サイン表示体１６のサイン１６ａがサイン表示開口９ｇに合致しない位置）まで戻し、サイン１６ａを非表示にする（図１６参照）。
【００５８】
このように、上述した消防用機器に用いる格納箱１の取っ手構造は、スライド取っ手１０のスライド操作に伴って火報扉８を開閉したサイン１６ａが表示されるサイン表示手段１２を備えているため、点検時や見回り時等にサイン１６ａが表示されていれば、何者かが火報扉８を開閉したり、或いは火報扉８を開けようとしたことが判別でき、悪戯や危険物の隠し置きが行われた可能性を察知できるため、悪戯等を見落とすと言うことがなく、悪戯や危険物の早期発見を容易に行える。
【００５９】
また、消防用機器に用いる格納箱１の取っ手構造は、サイン表示手段１２が、スライド取っ手１０のスライド操作に伴ってサイン１６ａを表示したサインパネルが機械的にスライド移動してサイン１６ａを表示する構成としているため、電源を必要とせず、コスト低減を図れる。
【００６０】
更に、消防用機器に用いる格納箱１の取っ手構造は、サイン表示体１６が、スライド取っ手１０の扉８ａを開放操作する方向へのスライド操作時にスライド取っ手１０に係止されて非表示位置から表示位置へスライド移動し、また、スライド取っ手１０の前記と反対方向へのスライド時にサイン表示体１６が前記位置に残る構成としているため、スライド取っ手１０のスライド操作や火報扉８の開閉操作を行っても、一旦現れたサイン表示体１６のサイン１６ａは常時表示されたままとなるので、火報扉８が開けられたことや火報扉８を開けようとしたことを確実に表示することができる。
【００６１】
更に、消防用機器に用いる格納箱１の取っ手構造は、取っ手収納体９の火報扉８の裏面側に位置する部分に、サイン表示体１６を火報扉８の裏面側からスライド操作するサイン操作用開口９ｎを形成しているため、消防用設備の格納箱１を正面側から見ただけではサイン１６ａの表示の解除方法が判らず、サイン１６ａの表示を解除するには、火報扉８の裏面側から操作しなければならないので、解除方法を知る者しか容易に解除することができない。
【００６２】
更に、消防用機器に用いる格納箱１の取っ手構造は、取っ手収納体９の扉の裏面側に位置する部分に、サイン表示体１６をスライド移動させる解除キー１３が抜き差し自在に収納されるキー収納部９ｑを形成し、当該キー収納部９ｑに解除キー１３を収納しているため、作業員が格納箱１を点検する際に解除キー１３を所持しておく必要もなく、また、解除キー１３がキー収納部９ｑに収納されているので目立ち難く、格納箱１の扉が悪戯や盗難等、正常な目的を持った者以外により開けられても、解除キー１３に気が付き難くなる。
【００６３】
尚、上記の実施形態においては、屋内設置型の消火栓の火報扉８のみに取っ手構造を設けたが、他の実施形態においては、図１７に示す如く、屋内設置型の消火栓の火報扉８と主扉７の両方に同じ構造の取っ手構造をそれぞれ設けるようにしても良く、或いは、図示していないが、屋内設置型の消火栓の主扉７の両方のみに取っ手構造を設けるようにしても良い。これらの場合、主扉７を閉じた状態に保持する三角戸バネ（三角キャッチ）は、省略する。
【００６４】
また、上記の実施形態においては、サイン表示手段１２のサイン表示体１６のサイン１６ａを赤色の色表示としたが、サイン表示体１６のサイン１６ａを他の色の色表示としても良い。また、サイン表示体１６のサイン１６ａを「内部点検要」等の文字表示のサイン１６ａとしたり、火報扉８を開けられたことが判る図形表示としたり、或いは色表示と文字表示と図形表示のうち、何れか二つ又は三つを組み合わせたサイン１６ａとしても良い。
【００６５】
更に、上記の実施形態においては、サイン表示体１６を元の位置に戻す場合、専用の解除キー１３を用いたが、他の実施形態においては、専用の解除キー１３に替えて点検業者が常時携帯しているマイナスドライバーや他の工具を利用してサイン表示体１６を元の位置に戻すようにし手も良い。
【００６６】
加えて、上記の実施形態においては、取っ手収納体９、スライド取っ手１０、サイン表示体１６、スライダー１４及び解除キー１３を合成樹脂材により形成したが、他の実施形態においては、前記各部材を金属材により形成しても良い。
【産業上の利用可能性】
【００６７】
本発明は、屋内設置型の消火栓（易操作性１号消火栓）の格納箱１に用いたが、１号消火栓や２号消火栓の格納箱、広範囲型２号消火栓の格納箱、補助散水栓の格納箱、消火器格納箱、放水口格納箱、パッケージ型消火設備の格納箱等にも利用できるものである。また、本発明の取っ手構造は、既設の格納箱にも設置できるものである。
【符号の説明】
【００６８】
１は格納箱、５は箱本体、８は火報扉、９は取っ手収納体、９ｇはサイン表示開口、９ｎはサイン操作用開口、９ｑはキー収納部、１０はスライド取っ手、１１はロック機構、１２はサイン表示手段、１３は解除キー、１６はサイン表示体、１６ａはサイン。
【図１】
2018102503.tif 000003
【図２】
2018102503.tif 000004
【図３】
2018102503.tif 000005
【図４】
2018102503.tif 000006
【図５】
2018102503.tif 000007
【図６】
2018102503.tif 000008
【図７】
2018102503.tif 000009
【図８】
2018102503.tif 000010
【図９】
2018102503.tif 000011
【図１０】
2018102503.tif 000012
【図１１】
2018102503.tif 000013
【図１２】
2018102503.tif 000014
【図１３】
2018102503.tif 000015
【図１４】
2018102503.tif 000016
【図１５】
2018102503.tif 000017
【図１６】
2018102503.tif 000018
【図１７】
2018102503.tif 000019
【図１８】
2018102503.tif 000020